(57)【特許請求の範囲】
【請求項１】
継式釣竿を収納した際の竿先部を保護する竿先保護カバー部材又は釣竿用尻栓を意味する筒状体であって、
該筒状体は頭部と開口端部とを有する筒状本体と、該筒状本体内を長手方向に移動可能な保持部材とを具備し、前記頭部は該保持部材が該頭部から外に落下することを防止できる形態であり、
前記筒状本体には、前記保持部材を前記開口端部の近くに保持させるべく該保持部材を指先で押すことのできる大きさの開口部を設けており、
前記保持部材は別部材の糸通し具の端部を着脱可能に保持できる保持部を有する
ことを特徴とする釣竿用筒状体。
【請求項２】
前記筒状本体はその開口端部近くに前記保持部材の前進移動を阻止する規制部を設けている請求項１記載の釣竿用筒状体。
【発明の詳細な説明】
【技術分野】
【０００１】
本発明は、継式釣竿を収納した際の竿先部を保護する竿先保護カバー部材又は釣竿用尻栓を意味する筒状体に関する。
【背景技術】
【０００２】
振出式や並継式等の継式釣竿では、釣りの前後には仕舞状態に収納させて運搬する。その場合に、外ガイドを有する外通し釣竿においては、仕舞状態の竿先部や、ここに集まった外ガイドを保護すべく竿先保護カバー部材を装着させる。下記特許文献１には振出式の外ガイドを有する外通し釣竿用の竿先保護カバー部材が開示されている。この竿先保護カバー部材では、外通し釣竿用の糸通し杆４をカバー本体の頭部に固定した構造が開示されている。この糸通し杆は外ガイド用であるため、カバー本体と一体化されているが不都合はない。
【特許文献１】実開昭６２−１６７５６９号公報
【発明の開示】
【発明が解決しようとする課題】
【０００３】
一方、中通し釣竿でも釣糸を竿管内部に挿通させる作業の際、所謂、糸通し具が必要となる。この糸通しの作業には２通りの方式がある。一つは、後端に釣糸を係止した糸通し具を釣糸導入部から挿入して、それを竿先から出すことによって釣糸を竿管内に通す作業である。他方は、糸通し具を釣竿先端から入れ、釣糸導入部からその一端部を引き出した後、この糸通し具の当該端部に釣糸を係止させた状態で、竿先に残して露出させている糸通し具の他端部を引いて糸通しさせる、所謂、トップイン方式である。これらの糸通し具は作業の前後は、巻回等して、釣人のポケットや他の容器に収納させる必要があった。こうした糸通し具を釣竿以外の場所に収納して釣りに携行することは一般的とはいえ、不便がある。
依って解決しようとする課題は、糸通し具を竿先保護カバー部材又は尻栓に対し、極めて容易に着脱可能に保持できるようにすることである。
【課題を解決するための手段】
【０００４】
第１の発明では、継式釣竿を収納した際の竿先部を保護する竿先保護カバー部材又は釣竿用尻栓を意味する筒状体であって、該筒状体は頭部と開口端部とを有する筒状本体と、該筒状本体内を長手方向に移動可能な保持部材とを具備し、前記頭部は該保持部材が該頭部から外に落下することを防止できる形態であり、前記筒状本体には、前記保持部材を前記開口端部の近くに保持させるべく該保持部材を指先で押すことのできる大きさの開口部を設けており、前記保持部材は別部材の糸通し具の端部を着脱可能に保持できる保持部を有することを特徴とする釣竿用筒状体を提供する。
保持部とは、筒状本体の開口端部側から着脱可能に弾力的に保持できる孔、又は保持部材の側方から着脱可能に弾力的に保持できる溝、又は糸通し具端部の輪部を引っ掛ける引っ掛け部を含む。
【０００５】
第２の発明では、第１の発明の前記筒状本体はその開口端部近くに前記保持部材の前進移動を阻止する規制部を設けている。
【発明の効果】
【０００６】
第１の発明では、筒状本体内に有する保持部材に対し、糸通し具を保持させる際に、筒状本体の開口端部に移動させることができるため、その保持部を視認しながら極めて容易に保持させることができる。従って、夕方等の視認性の悪い時でも迅速な仕舞支度が可能となる。また、保持部材に糸通し具を保持させる際に、移動可能な保持部材を押圧保持できるため、糸通し具の保持作業が容易になる。
【０００７】
第２の発明では、筒状本体は開口端部近くに規制部を設けているため、糸通し具を保持させる作業において保持部材を引き出した際の誤った落下を防止できる。
【発明を実施するための最良の形態】
【０００８】
以下、本発明を図面を参照しつつ詳細に説明する。図１は本発明に係る竿先保護カバー部材１０の正面図と底面図であり、図２は図１の矢視線Ｂ−Ｂによる縦断面図、図３は図１とは異なって、使用状態の正面図、図４は図３の矢視線Ｄ−Ｄによる縦断面図である。竿先保護カバー部材１０の筒状本体１０Ｈは硬質合成樹脂材によって筒状に形成されている。その頭部１０Ｔの中にはＥＶＡ（エチレン酢酸ビニル共重合体）樹脂の発泡材で形成した衝撃吸収体１０ＴＡを固定配設している。
【０００９】
一方、該頭部とは逆側の端部近くは、筒状本体の円周方向の大半が除去された円弧状部に形成されており、その内面には適宜厚さのゴムシート１０Ｓが接着等で固定されている。このゴムシートの頭部側端部１０ＳＴの近くから前記頭部方向の途中位置までに亘っては、筒状本体１０Ｈの円周方向の一部が切り欠かれた切欠部１０Ｋが設けられており、残っている筒状本体外周部の成す円周角（この場合、約３００度）は前記円弧状部（この場合、約１２０度）よりも大きい。頭部１０Ｔから遠い側の上記切欠部１０Ｋの端部位置に筒状本体１０Ｈの開口端部１０Ｅがある。
【００１０】
適宜数のバンド孔１０ＢＨを有するバンド１０Ｂが、前記円弧状部の外周側に固定されており、同じく円弧状部の外周側には前記バンド孔を係止させる突起部１０ＢＫが突出している。
【００１１】
筒状本体内には頭部１０Ｔ位置から開口端部１０Ｅの位置に亘って移動可能な外径の円柱状の保持部材１２を有している。この保持部材は上記衝撃吸収体１０ＴＡと同じＥＶＡの発泡体で形成されている。この例の保持部材１２は筒状本体１０Ｈの内面を適宜圧力で押圧しているが、その圧力は、糸通し具を保持した状態で軽く振る程度で落下する強さである。或いは、保持部材１２は筒状本体１０Ｈの内面を全く押圧していなくてもよい。
【００１２】
筒状本体の衝撃吸収体１０ＴＡを含む頭部１０Ｔには空気抜き孔１０ＴＨが設けられており、保持部材１２の移動が容易に行えるようにしている。
また、図１の切欠部１０Ｋが、図示の形態よりも２点鎖線１０Ｋ’で示すように長く、少なくとも頭部位置に収納した保持部材１２に至る延長切欠部１０Ｋ’を設けている場合は、この保持部材を初めて引き出す際に、この切欠部１０Ｋ’に露出している部分を指で摘むようにして引き出すことができて好ましい。更には、収納状態にある保持部材１２の上端１２Ｅの位置まで切り欠いていると、この上端を小径物や爪等で押せば容易に押し出せ、保持部材１２が筒状本体１０Ｈ内面に強く押圧していて、筒状本体を軽く振った程度では出て来ない場合でも引き出せる。
【００１３】
また、延長切欠部１０Ｋ’が保持部材１２に至っていたり、上端１２Ｅの位置まで切り欠いている場合、保持部材１２が筒状本体１０Ｈ内面を強く押圧せず、筒状本体を軽く振った程度で出てくるか、或いは全く押圧していない状態に構成してもよい。更には、切欠部１０Ｋを上端１２Ｅの位置まで切り欠いている場合、そこから空気が抜け出るため、前記の空気抜き孔１０ＴＨは無くてもよい。
【００１４】
この例の保持部材１２の中心位置には、貫通孔１２Ｈを設けている。これは釣竿仕舞時等に糸通し具を圧入して保持させるためのものであり、貫通していなくてもよい。また、必要時には適宜な力で抜き去れる必要がある。こうした力の関係から、少なくとも孔の周囲壁部領域は弾力性のある材料で形成することが必要となる。また、この例では既述のように、保持部材１２が重力程度では落下しないように筒状本体１０Ｈの内面を押圧するように構成するため、保持部材の外径を筒状本体の内径程度にする他、保持部材の外周部に弾力性を持たせる必要がある。結局、保持部材全体をＥＶＡ樹脂の発泡体で形成しているが、その他の材料として、ウレタン発泡材やゴム等でもよい。また、これらの材料は衝撃吸収体１０ＴＡにも使用できる。
【００１５】
既述の適宜厚さのゴムシート１０Ｓは、硬質樹脂製の筒状本体１０Ｈを仕舞状態の竿先に被せた際に竿杆表面が傷付くことを防止することも目的とするが、頭部側の縁部１０ＳＴは筒状本体の開口端部１０Ｅ付近に位置しており、保持部材１２が引き出された際に前進を規制停止させて落下を防止する規制部としての意義もある。勿論、規制部はこのゴムシートとは別体にして設けてもよい。
【００１６】
保持部材１２を筒状本体１０Ｈの開口端部１０Ｅ付近にまで引き出せば、該開口端部側からその貫通孔１２Ｈを視認し易くなり、糸通し具２０の先部を挿入保持させる作業が極めて容易、迅速になる。この糸通し具としては、中通し竿用の糸通し具があるが、その他、上記文献１の外ガイド用糸通し杆類似のものを、竿先保護カバー部材に固定させるのではなく、使用がより便利になるように分離可能にすべく、保持部材１２に対して着脱可能に保持させることも可能である。
【００１７】
実際の保持作業では、切欠部１０Ｋを介して、図４に矢印で示す方向から保持部材１２の外周面を指で押さえてその位置に保持して挿入作業を行う。指で押さえるための開口部としては、切欠部ではなく、押圧のためのみの円形状開口等でもよい。
この例の竿先保護カバー部材１０は、その筒状本体１０Ｈの外周面に切欠部１０Ｋを設けており、また、軸方向に長く形成しているので、移動ガイド等の外ガイド付き釣竿の竿先保護カバー部材として適している。即ち、上記切欠部１０Ｋは保持部材１２を側面から押圧保持するためのみならず、仕舞時の各竿杆の移動ガイド等の外ガイドを切欠部の左右両壁部で挟んで整列保持させることに都合がよい。
【００１８】
上記のようにして糸通し具２０の先部を貫通孔１２Ｈで保持した保持部材１２を、当該糸通し具で押して頭部側に押しやる。この例では、頭部の衝撃吸収体１０ＴＡに当接する位置（図３の１２’）まで押し込む。糸通し具２０が、釣糸導入部から挿入するタイプの糸通し具の場合は比較的短いものがあり、例えばその短い糸通し具の保持されていない他端部側を穂先竿内に挿通させるという仕舞い形態が可能である。この糸通し具を保持させて仕舞うと、糸通し具を釣竿とは別の場所に仕舞う必要が無くなり、釣り準備の際に非常に便利である。また、長い糸通し具を保持させてもよい。
【００１９】
図５は本発明に係る竿先保護カバー部材の他の形態例の要部正面図であり、図６はその矢視線Ｅ−Ｅによる横断面図である。上記例と異なるのは、保持部材１２の貫通孔１２Ｈの代わりに長手方向に沿った溝１２Ｍが形成されていることである。この例での溝底は保持部材１２の径方向中心に位置している。例えば、糸通し具の先端部に釣糸結着輪を設けている場合のように、その先端部から図４に示す保持部材１２の貫通孔１２Ｈに押し込むことで、結着輪が変形してしまう等の不都合な場合に、糸通し具を保持部材の側方から溝１２Ｍに挟持させることで保持できる。この場合、糸通し具を保持部材１２の中心に位置させることができるため、仕舞い状態において該糸通し具を中心部に位置させて、糸通し具の他端部を穂先竿内に挿入することができる。
【００２０】
しかし、溝はその底が保持部材の表面近くに位置した浅いものでもよい。更には、貫通孔と溝とを組み合わせて、複数種類（複数個）の糸通し具２０を保持可能にしてもよい。
上記例の竿先保護カバー部材の他、本願の筒状体を釣竿用尻栓に適用してもよい。
【産業上の利用可能性】
【００２１】
本発明は、継式釣竿を収納した際の竿先部を保護する竿先保護カバー部材又は釣竿用尻栓に利用できる。
【図面の簡単な説明】
【００２２】
【図１】図１は本発明に係る竿先保護カバー部材の正面図と底面図である。
【図２】図２は図１の矢視線Ｂ−Ｂによる縦断面図である。
【図３】図３は図１とは異なる状態の正面図である。
【図４】図４は図３の矢視線Ｄ−Ｄによる縦断面図である。
【図５】図５は本発明に係る竿先保護カバー部材の他の形態例の要部正面図である。
【図６】図６は図５の矢視線Ｅ−Ｅによる横断面図である。
【符号の説明】
【００２３】
１０                    竿先保護カバー部材（筒状体）
１０Ｋ                  開口部（切欠部）
１０Ｅ                  開口端部
１０Ｈ                  筒状本体
１２Ｈ                  孔
１２Ｍ                  溝
１２                    保持部材
【図１】
0004761577.tif 000002
【図２】
0004761577.tif 000003
【図３】
0004761577.tif 000004
【図４】
0004761577.tif 000005
【図５】
0004761577.tif 000006
【図６】
0004761577.tif 000007